(57)【要約】【課題】本発明は、個々の金融取引に付随する情報の体系的な提供と、取引者間の双方向での当該情報の交換を可能にする技術を提供することを課題とする。【解決手段】金融取引に関連する関連情報の登録操作が取引者によって行われると、登録操作を行った取引者に対応する固有の記憶領域内にある金融取引を識別するためのキー情報に関連情報を付加する処理と、取引者に共通して割り当てられる共有の記憶領域にキー情報を付加する処理とを実行しておき、関連情報の閲覧操作が行われると、共有の記憶領域に付加されている全てのキー情報に対応する関連情報を固有の記憶領域から各々呼び出して提供することにより、個々の金融取引に付随する情報の体系的な提供と、取引者間の双方向での当該情報の交換を可能にする。【選択図】図１２
2015225435.tif 000002
【特許請求の範囲】
【請求項１】
口座を経由した金融取引が行われると、前記金融取引を識別するためのキー情報を、前記金融取引の取引者に各々割り当てられる固有の記憶領域に付加するキー情報付加処理部と、
前記金融取引に関連する関連情報の登録操作が前記金融取引の取引者のうち少なくとも何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理部と、
前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理部と、を備える、
情報処理装置。
【請求項２】
前記キー情報付加処理部は、口座を経由した金融取引が勘定系のシステムによって行われると、前記勘定系のシステムから取得した前記勘定系のシステムが発行する前記キー情報を前記固有の記憶領域に付加する、
請求項１に記載の情報処理装置。
【請求項３】
前記関連情報提供処理部は、特定の取引者の情報を受けると、前記特定の取引者が関係した前記共有の記憶領域に付加されている全ての前記キー情報に対応する前記関連情報を前記固有の記憶領域から各々呼び出し、前記閲覧操作を行った取引者に提供する、
請求項１または２に記載の情報処理装置。
【請求項４】
前記関連情報提供処理部は、特定の金融取引の情報を受けると、前記特定の金融取引が関係した前記共有の記憶領域に付加されている全ての前記キー情報に対応する前記関連情報を前記固有の記憶領域から呼び出し、前記閲覧操作を行った取引者に提供する、
請求項１から３の何れか一項に記載の情報処理装置。
【請求項５】
口座を経由した金融取引が行われると、前記金融取引を識別するためのキー情報を、前記金融取引の取引者に各々割り当てられる固有の記憶領域に付加するキー情報付加処理と、
前記金融取引に関連する関連情報の登録操作が前記金融取引の取引者のうち少なくとも何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理と、
前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理と、を行う、
情報処理方法。
【請求項６】
コンピュータに、
口座を経由した金融取引が行われると、前記金融取引を識別するためのキー情報を、前記金融取引の取引者に各々割り当てられる固有の記憶領域に付加するキー情報付加処理と、
前記金融取引に関連する関連情報の登録操作が前記金融取引の取引者のうち少なくとも
何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理と、
前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理と、を実行させる、
情報処理プログラム。
【発明の詳細な説明】
【技術分野】
【０００１】
本願は、情報処理装置、方法およびプログラムに関する。
【背景技術】
【０００２】
金融取引に付帯するサービスとして、受取人に向けてメッセージを発信することが提案されている（例えば、特許文献１−３を参照）。
【先行技術文献】
【特許文献】
【０００３】
【特許文献１】特開２０１２−０８４１０１号公報
【特許文献２】特開２０１２−０８４１０２号公報
【特許文献３】特開２０１２−０８４１０３号公報
【発明の概要】
【発明が解決しようとする課題】
【０００４】
金融取引の際には、金融取引に関連する情報を取引者間で共有したい場合がある。そこで、金融取引に付帯するサービスとして、取引者間でメッセージの交換を可能にすることが考えられる。しかし、金融取引自体は、手続きを開始すれば速やかに完了へ至るものであるため、取引者間で双方向のメッセージ交換を可能とするサービスを金融取引に付帯させることが難しい。また、様々な取引者間で行われる個々の金融手続同士に有機的な関連性は無いため、様々な金融取引に付帯して交換された個々のメッセージを体系的に表示することが難しい。
【０００５】
そこで、本発明は、個々の金融取引に付随する情報の体系的な提供と、取引者間の双方向での当該情報の交換を可能にする技術を提供することを課題とする。
【課題を解決するための手段】
【０００６】
上記課題を解決するため、本発明では、金融取引に関連する関連情報の登録操作が取引者によって行われると、登録操作を行った取引者に対応する固有の記憶領域内にある金融取引を識別するためのキー情報に関連情報を付加する処理と、取引者に共通して割り当てられる共有の記憶領域にキー情報を付加する処理とを実行しておき、関連情報の閲覧操作が行われると、共有の記憶領域に付加されている全てのキー情報に対応する関連情報を固有の記憶領域から各々呼び出して提供することにより、個々の金融取引に付随する情報の体系的な提供と、取引者間の双方向での当該情報の交換を可能にする。
【０００７】
詳細には、本発明は、情報処理装置であり、口座を経由した金融取引が行われると、前記金融取引を識別するためのキー情報を、前記金融取引の取引者に各々割り当てられる固有の記憶領域に付加するキー情報付加処理部と、前記金融取引に関連する関連情報の登録操作が前記金融取引の取引者のうち少なくとも何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理部と、前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理部と、を備える。
【０００８】
ここで、キー情報とは、各金融取引を個別に識別するための情報であり、例えば、送金
者や受取人、送金日時や送金額といった各種の情報を基に生成可能な、各金融取引を識別できるあらゆる情報を適用可能である。また、関連情報とは、金融取引に関連して取引者が用意する各種の情報であり、例えば、金融取引に伴って取り交わされる想い出の情報や、金融取引に伴って取り交わされる各種事務的な情報が挙げられる。
【０００９】
上記情報処理装置によれば、口座を経由した金融取引が行われた場合に、金融取引を識別するためのキー情報が各取引者に固有の個々の記憶領域に付加される。この記憶領域は、例えば、金融取引を司る勘定系のシステムとは別体のシステム内に設けることで、当該記憶領域の情報処理に係る負荷が、勘定系のシステムにおいて実行される金融取引の処理に与える影響を可及的に抑制することができる。
【００１０】
そして、上記情報処理装置においては、金融取引に関連する関連情報の登録操作が何れかの取引者によってなされると、当該取引者に固有の個々の記憶領域に当該関連情報が付加されると共に、当該金融取引の取引者に共通に割り当てられる共有の記憶領域に当該金融取引を識別するための情報が付加される。更に、何れかの取引者によって閲覧操作が行われた際は、共有の記憶領域に付加されている情報を基に、当該金融取引に関係する各取引者の個々の記憶領域から呼び出される関連情報が提供されるので、金融取引に纏わる情報を金融取引の各取引者で共有することができる。
【００１１】
この情報処理装置では、記憶領域への関連情報の付加や、記憶領域からの関連情報の取得が、何れの取引者についても可能な構成となっているため、金融取引に纏わる情報は、何れか一の取引者から他の取引者への一方的な提供に限定されることはなく、双方向の情報共有が可能である。そして、関連情報が共有される範囲は、特定の金融取引に関係した取引者間に制限される。よって、個々の金融取引に付随する情報の体系的な提供と、取引者間の双方向での当該情報の交換が可能である。
【００１２】
なお、前記キー情報付加処理部は、口座を経由した金融取引が勘定系のシステムによって行われると、前記勘定系のシステムから取得した前記勘定系のシステムが発行する前記キー情報を前記固有の記憶領域に付加するものであってもよい。勘定系のシステムから取得される情報であれば、勘定系のシステムに負荷を与える可能性の低減や、各取引者に固有の記憶領域に付加されるキー情報と実際の金融取引との不一致の可能性を可及的に抑制することができる。
【００１３】
また、前記関連情報提供処理部は、特定の取引者の情報を受けると、前記特定の取引者が関係した前記共有の記憶領域に付加されている全ての前記キー情報に対応する前記関連情報を前記固有の記憶領域から各々呼び出し、前記閲覧操作を行った取引者に提供するものであってもよい。関連情報の提供がこのようにして行われれば、閲覧操作を行った特定の取引者に関係する全ての関連情報を当該取引者に提示することができる。よって、当該取引者は、自身が関係した金融取引に纏わる関連情報を余すことなく閲覧可能である。
【００１４】
また、前記関連情報提供処理部は、特定の金融取引の情報を受けると、前記特定の金融取引が関係した前記共有の記憶領域に付加されている全ての前記キー情報に対応する前記関連情報を前記固有の記憶領域から呼び出し、前記閲覧操作を行った取引者に提供するものであってもよい。関連情報の提供がこのようにして行われれば、特定の金融取引に関係する関連情報を取引者に提示することができる。よって、当該取引者は、特定の金融取引に纏わる関連情報を他の金融取引に纏わる情報と区別して閲覧可能である。
【００１５】
なお、本発明は、方法としての側面から捉えることもできる。例えば、本発明は、情報処理方法であって、口座を経由した金融取引が行われると、前記金融取引を識別するためのキー情報を、前記金融取引の取引者に各々割り当てられる固有の記憶領域に付加するキ
ー情報付加処理と、前記金融取引に関連する関連情報の登録操作が前記金融取引の取引者のうち少なくとも何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理と、前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理と、を行うものであってもよい。
【００１６】
また、本発明は、プログラムとしての側面から捉えることもできる。例えば、本発明は、情報処理プログラムであって、コンピュータに、口座を経由した金融取引が行われると、前記金融取引を識別するためのキー情報を、前記金融取引の取引者に各々割り当てられる固有の記憶領域に付加するキー情報付加処理と、前記金融取引に関連する関連情報の登録操作が前記金融取引の取引者のうち少なくとも何れかによって行われると、前記登録操作を行った取引者に対応する前記固有の記憶領域の前記キー情報に前記関連情報を付加する処理と、前記金融取引の取引者に共通して割り当てられる共有の記憶領域に前記キー情報を付加する処理とを実行する取引情報登録処理と、前記関連情報の閲覧操作が前記金融取引の取引者のうち少なくとも何れかによって行われると、前記共有の記憶領域に付加されている全ての前記キー情報に対応する前記関連情報を前記固有の記憶領域から各々呼び出し、前記閲覧操作を行った取引者に提供する関連情報提供処理と、を実行させるものであってもよい。
【発明の効果】
【００１７】
上記情報処理装置、方法及びプログラムであれば、個々の金融取引に付随する情報の体系的な提供と、取引者間の双方向での当該情報の交換が可能である。
【図面の簡単な説明】
【００１８】
【図１】図１は、実施形態に係る情報処理システムにおいて実現される情報処理の概要を示した図の一例である。
【図２】図２は、実施形態に係る情報処理システムのハードウェア構成図の一例である。
【図３】図３は、情報処理システムを形成する関連情報システムや勘定系システム、ユーザ端末がコンピュータプログラムを各々実行することによって実現される機能ブロックを示した図の一例である。
【図４Ａ】図４Ａは、ユーザＡが銀行口座を開設した場合に実現される情報処理を示した図の一例である。
【図４Ｂ】図４Ｂは、ユーザＢが銀行口座を開設した場合に実現される情報処理を示した図の一例である。
【図５】図５は、ユーザＢに誕生した子供の写真を登録する場合に実現される情報処理を示した図の一例である。
【図６】図６は、ユーザＢが口座開設時に入金したお金を使って購入した鯉のぼりの写真を登録する場合に実現される情報処理を示した図の一例である。
【図７】図７は、ユーザＡがユーザＢの子供に入学祝いを送金する場合に実現される情報処理を示した図の一例である。
【図８】図８は、ユーザＢへ送金した入学祝いに付随するお祝いメッセージをユーザＡが登録する場合に実現される情報処理を示した図の一例である。
【図９】図９は、ユーザＡが送ったお祝いメッセージをユーザＢが閲覧する場合に実現される情報処理を示した図の一例である。
【図１０】図１０は、ユーザＡから送金された入学祝いに付随する入学式の写真をユーザＢが登録する場合に実現される情報処理を示した図の一例である。
【図１１】図１１は、ユーザＡに関係する全ての関連情報をユーザＡが閲覧する場合に実現される情報処理を示した図の一例である。
【図１２】図１２は、ユーザＢに関係する全ての関連情報をユーザＢが閲覧する場合に実現される情報処理を示した図の一例である。
【発明を実施するための形態】
【００１９】
以下、実施形態について説明する。以下に示す実施形態は、単なる例示であり、本開示の技術的範囲を以下の態様に限定するものではない。
【００２０】
図１は、実施形態に係る情報処理システムにおいて実現される情報処理の概要を示した図の一例である。実施形態に係る情報処理システムＳＹＳは、図１に示すように、関連情報システム１、勘定系システム２、ユーザ端末３によって形成される。関連情報システム１、勘定系システム２、ユーザ端末３は、互いにネットワーク４を通じて通信可能である。関連情報システム１は、勘定系システム２において処理される金融取引に付随してユーザ間で取り交わされる関連情報を取り扱うシステムである。勘定系システム２は、銀行や信用金庫、信用組合等の金融機関で取り扱う金融取引の電算処理を司る金融機関の中核的システムである。ユーザ端末３は、関連情報システム１が取扱う関連情報を登録および閲覧する際にユーザ（本願でいう「取引者」の一例である）が使用する情報処理機器である。ユーザ端末３としては、例えば、スマートフォンや携帯電話、パーソナルコンピュータ（ＰＣ）、タブレットＰＣといった各種の情報処理機器を適用可能である。勘定系システム２は、金融機関の中核的システムであるため、本実施形態では、関連情報を取り扱う関連情報システム１を勘定系システム２と別体とし、関連情報システム１やユーザ端末３と勘定系システム２との間で取り交わされる情報をディレードオンラインで処理することにより、勘定系システム２が受ける負荷の低減を図っている。
【００２１】
実施形態に係る情報処理システムＳＹＳでは、勘定系システム２において金融取引が行われると、取引内容が勘定系システム２のデータベース（以下、「元帳ＤＢという」）に記録されると共に、当該金融取引を識別する情報（以下、「取引情報キー」といい、本願でいう「キー情報」の一例である）が発行される。取引情報キーとしては、例えば、振込人の口座番号や受取人の口座番号、取引の日時を並べた数列を例示できる。そして、金融取引に付随する関連情報の登録を何れかのユーザがユーザ端末３で行うと、当該関連情報が取引情報キーに紐づいた状態で関連情報システム１のデータベース（以下、「関連情報ＤＢ」という）に付加される。また、関連情報ＤＢに確保される当該金融取引の関係者に共有の記憶領域内に、発行された取引情報キーが付加される。金融取引に関係したユーザは、自身の金融取引を識別する取引情報キーと同じ共有の記憶領域内に格納されている他の取引情報キーに紐づけられた関連情報にアクセス可能である。よって、当該ユーザは、例えば、当該他の取引情報キーに紐づけられた他人の関連情報が関連情報ＤＢに格納されていれば、当該他人の関連情報を閲覧することができる。すなわち、実施形態に係る情報処理システムＳＹＳでは、金融取引に関係したユーザ間で金融取引に付随する関連情報を共有することができる。
【００２２】
なお、実施形態に係る情報処理システムＳＹＳが取扱う関連情報の内容については特に限定されるものでなく、如何なる内容の情報を扱ってもよい。家族や親族間で取り交わされる金融取引に付随して登録される関連情報であれば、情報処理システムＳＹＳは、例えば、お祝いのメッセージや写真、動画といった想い出に関係する想い出情報を取り扱う蓋然性が高いと考えられる。また、商取引を行う企業間で取り交わされる金融取引に付随して登録される関連情報であれば、情報処理システムＳＹＳは、例えば、決済に係る伝票の番号やその他の各種事務的な情報を取り扱う蓋然性が高いと考えられる。
【００２３】
図２は、実施形態に係る情報処理システムＳＹＳのハードウェア構成図の一例である。
関連情報システム１は、ＣＰＵ（Central Processing Unit）やＲＡＭ（Random Access Memory）、ＲＯＭ（Read Only Memory）等を含む制御部１１、制御部１１が実行するプロ
グラムや関連情報等の各種情報を記憶する記憶装置１２、ネットワーク４を介した通信を行うための通信Ｉ／Ｆ（インタフェース）１３を備える情報処理装置である。
【００２４】
勘定系システム２も関連情報システム１と同様、制御部２１や記憶装置２２、通信Ｉ／Ｆ２３を備える情報処理システムである。なお、勘定系システム２には、図示しない金融機関の窓口端末やＡＴＭ（Automated Teller Machine）が配下にネットワーク接続されていてもよい。
【００２５】
ユーザ端末３は、ＣＰＵやＲＡＭ、ＲＯＭ等を含む制御部３１、制御部３１が実行するプログラムやその他各種情報を記憶する記憶装置３２、ネットワーク４を介した通信を行うための通信Ｉ／Ｆ３３の他、ユーザに情報を提示する表示装置３４やユーザの入力操作を受け付ける入力装置３５を備える。
【００２６】
図３は、情報処理システムＳＹＳを形成する関連情報システム１や勘定系システム２、ユーザ端末３がコンピュータプログラムを各々実行することによって実現される機能ブロックを示した図の一例である。
【００２７】
関連情報システム１は、ＲＡＭに展開されたコンピュータプログラムをＣＰＵが解釈及び実行する制御部１１が、記憶装置１２や通信Ｉ／Ｆ１３と協働することにより、キー情報付加処理部１Ａや取引情報登録処理部１Ｂ、関連情報提供処理部１Ｃを実現する。キー情報付加処理部１Ａは、勘定系システム２において口座を経由した金融取引が行われると、金融取引を識別するための取引情報キーを、金融取引の取引者に各々割り当てられる固有の記憶領域に付加する処理等の実行を司る。取引情報登録処理部１Ｂは、金融取引に関連する関連情報の登録操作が金融取引の取引者のうち少なくとも何れかによって行われると、登録操作を行った取引者に対応する固有の記憶領域の取引情報キーに関連情報を付加する処理と、金融取引の取引者に共通して割り当てられる共有の記憶領域に取引情報キーを付加する処理等の実行を司る。関連情報提供処理部１Ｃは、関連情報の閲覧操作が金融取引の取引者のうち少なくとも何れかによって行われると、共有の記憶領域に付加されている全ての取引情報キーに対応する関連情報を固有の記憶領域から各々呼び出し、閲覧操作を行った取引者に提供する処理等を司る。
【００２８】
勘定系システム２は、ＲＡＭに展開されたコンピュータプログラムをＣＰＵが解釈及び実行する制御部２１が、記憶装置２２や通信Ｉ／Ｆ２３と協働することにより、勘定処理部２Ａや情報通知処理部２Ｂ、登録開設処理部２Ｃを実現する。勘定処理部２Ａは、特定の口座から他の口座への送金依頼や特定の口座への入金依頼、その他各種の金融取引に纏わる勘定処理等を司る。情報通知処理部２Ｂは、金融取引に伴う取引情報キーの発行や、関連情報システム１やユーザ端末３に対する取引情報キーの通知処理等を司る。登録開設処理部２Ｃは、顧客情報の登録受付や口座開設の処理等を司る。
【００２９】
ユーザ端末３は、ＲＡＭに展開されたコンピュータプログラムをＣＰＵが解釈及び実行する制御部３１が、記憶装置３２や通信Ｉ／Ｆ３３、表示装置３４や入力装置３５と協働することにより、関連情報登録処理部３Ａや関連情報閲覧処理部３Ｂを実現する。関連情報登録処理部３Ａは、ユーザ端末３を操作するユーザが関連情報システム１への登録を希望する情報の入力を受け付け、関連情報システム１に通知する処理を司る。関連情報閲覧処理部３Ｂは、ユーザ端末３を操作するユーザが閲覧を希望する関連情報へのアクセス要求を受け付け、関連情報システム１内の関連情報にアクセスする処理を司る。
【００３０】
以下、実施形態に係る情報処理システムＳＹＳにおいて実現される情報処理について説
明する。
【００３１】
図４Ａは、ユーザＡが銀行口座を開設した場合に実現される情報処理を示した図の一例である。なお、図４Ａにおいて網点で示す領域は、元帳ＤＢ及び関連情報ＤＢ内の情報のうち、当該図面を参照して行う説明において特に関係しないものを覆ったものであり、図４Ａ以降の図においても同様である。
【００３２】
例えば、ユーザＡが金融機関の窓口或いはユーザ端末３で顧客情報の登録要求（Ｓ１０１）を行うと、情報処理システムＳＹＳでは、顧客情報の登録に係る処理が実行される。すなわち、顧客情報の登録要求があると、勘定系システム２では登録開設処理部２Ｃが、顧客を識別するための情報（以下、「顧客情報キー」という）を元帳ＤＢ内に生成する（Ｓ１０２）。これにより、元帳ＤＢ内には、図４Ａに示されるように、ユーザＡの顧客情報キーを有する顧客情報マスタが格納される。また、関連情報システム１ではキー情報付加処理部１Ａが、ユーザＡの顧客情報を格納するための領域を関連情報ＤＢ内に確保する（Ｓ１０３）。これにより、関連情報ＤＢ内には、図４Ａに示されるように、ユーザＡ用の顧客情報領域が確保される。
【００３３】
また、例えば、ユーザＡが金融機関の窓口或いはユーザ端末３で入金を伴う口座開設の要求（Ｓ１０４）を行うと、情報処理システムＳＹＳでは、口座開設に係る処理が実行される。すなわち、入金を伴う口座開設の要求があると、勘定系システム２では、登録開設処理部２Ｃが銀行口座の残高等を管理する口座マスタを元帳ＤＢ内に生成し、勘定処理部２Ａが口座開設時の入金取引を識別する取引情報キーを元帳ＤＢ内に生成する（Ｓ１０５）。また、情報通知処理部２Ｂが取引情報キーを関連情報システム１へ通知する。これにより、元帳ＤＢ内には、図４Ａに示されるように、ユーザＡの口座を管理する口座マスタや、口座開設時の入金取引を識別する取引情報キーが付加される。そして、取引情報キーが通知された関連情報システム１では、キー情報付加処理部１Ａが、取引の日時や顧客情報キーと紐付けて取引情報キーを関連情報ＤＢ内に付加する（Ｓ１０６）。これにより、関連情報ＤＢ内には、図４Ａに示されるように、取引の日時や顧客情報キーと紐づいた取引情報キーが、ユーザＡ用に確保されている顧客情報を格納する領域内に付加される。
【００３４】
図４Ｂは、ユーザＢが銀行口座を開設した場合に実現される情報処理を示した図の一例である。ユーザＢが銀行口座を開設した場合に実現される情報処理もユーザＡの場合と同様であり、上述したステップＳ１０１からステップＳ１０６までの一連の処理が実行されることにより、図４Ｂに示されるように、元帳ＤＢ内には、ユーザＢの顧客情報マスタや口座マスタ、取引情報キーが付加される。また、関連情報ＤＢ内には、ユーザＢ用の顧客情報領域が確保され、当該顧客情報領域内に取引の日時や顧客情報キーと紐づいた取引情報キーが付加される。
【００３５】
図５は、ユーザＢに誕生した子供の写真を登録する場合に実現される情報処理を示した図の一例である。例えば、ユーザＢがユーザ端末３を操作し、関連情報の一種である子供の写真を自身の顧客情報キーに紐付けて登録する要求（Ｓ２０１）を行うと、情報処理システムＳＹＳでは、写真の登録に係る処理が実行される。すなわち、写真の登録要求に係る操作がユーザ端末３で行われると、ユーザ端末３の関連情報登録処理部３Ａが勘定系システム２に顧客情報キーの通知を要求する。顧客情報キーの通知を要求された勘定系システム２では情報通知処理部２Ｂが、適当なユーザ認証処理を経た後、ユーザＢの顧客情報マスタにアクセスして得た顧客情報キーをユーザ端末３へ通知する（Ｓ２０２）。ユーザ端末３が勘定系システム２から顧客情報キーの通知を受けると、ユーザ端末３の関連情報登録処理部３Ａは、通知された顧客情報キーと共に写真データを関連情報システム１へ送信する（Ｓ２０３）。関連情報システム１が顧客情報キーと写真データを受信すると、関連情報システム１の取引情報登録処理部１Ｂは、登録の日時や顧客情報キーと紐付けて写
真データを関連情報ＤＢ内に付加する（Ｓ２０４）。これにより、関連情報ＤＢ内には、図５に示されるように、登録の日時や顧客情報キーと紐づいた子供の写真のデータ５Ｃが、ユーザＢ用に確保されている顧客情報を格納する領域内に付加される。
【００３６】
図６は、ユーザＢが口座開設時に入金したお金を使って購入した鯉のぼりの写真を登録する場合に実現される情報処理を示した図の一例である。例えば、ユーザＢがユーザ端末３を操作し、関連情報の一種である鯉のぼりの写真を自身の口座開設時の入金に係る取引情報キーに紐付けて登録する要求（Ｓ３０１）を行うと、情報処理システムＳＹＳでは、写真の登録に係る処理が実行される。すなわち、写真の登録要求に係る操作がユーザ端末３で行われると、ユーザ端末３の関連情報登録処理部３Ａが勘定系システム２に取引情報キーの通知を要求する。取引情報キーの通知を要求された勘定系システム２では情報通知処理部２Ｂが、適当なユーザ認証処理を経た後、ユーザＢの取引明細にアクセスして得た取引情報キーをユーザ端末３へ通知する（Ｓ３０２）。ユーザ端末３が勘定系システム２から取引情報キーの通知を受けると、ユーザ端末３の関連情報登録処理部３Ａは、通知された取引情報キーと共に写真データを関連情報システム１へ送信する（Ｓ３０３）。関連情報システム１が取引情報キーと写真データを受信すると、関連情報システム１の取引情報登録処理部１Ｂは、登録の日時や取引情報キーと紐付けて写真データを関連情報ＤＢ内に付加する（Ｓ３０４）。これにより、関連情報ＤＢ内には、図６に示されるように、登録の日時や取引情報キーと紐づいた鯉のぼりの写真のデータ５Ｋが、口座開設時の入金取引に対応して確保される固有取引情報領域内に付加される。なお、この固有取引情報領域は、本ステップＳ３０４の実行時に関連情報ＤＢ内で確保されるようにしてもよいが、既述したステップＳ１０６における取引情報の処理の際に確保されるようにしてもよい。
【００３７】
図７は、ユーザＡがユーザＢの子供に入学祝いを送金する場合に実現される情報処理を示した図の一例である。例えば、ユーザＡが金融機関の窓口或いはユーザ端末３でユーザＡの口座からユーザＢの口座への送金要求を行うと（Ｓ４０１）、情報処理システムＳＹＳでは、口座間の送金に係る処理が実行される。すなわち、送金要求があると、勘定系システム２では、勘定処理部２Ａが口座間の送金処理を行う（Ｓ４０２）。また、情報通知処理部２Ｂが取引情報キーを関連情報システム１へ通知する。これにより、図７に示されるように、元帳ＤＢ内のユーザＡの取引明細にはユーザＡの口座からの出金取引を識別する取引情報キーが加わり、元帳ＤＢ内のユーザＢの取引明細にはユーザＢの口座への入金取引を識別する取引情報キーが加わる。そして、ユーザＡの取引情報キーとユーザＢの取引情報キーとが通知された関連情報システム１では、キー情報付加処理部１Ａが、取引の日時や顧客情報キーと紐付けて取引情報キーを関連情報ＤＢ内に付加すると共に、ユーザＡとユーザＢとの間で共有の取引情報を格納する領域を確保する（Ｓ４０３）。これにより、関連情報ＤＢ内には、図７に示されるように、取引の日時や顧客情報キーと紐づいた取引情報キーが、ユーザＡとユーザＢとに各々確保されている顧客情報を格納する領域内に付加され、各取引情報キーと紐づけられた共有取引情報領域が確保される。この共有取引情報領域は、ユーザＡとユーザＢとの間で取り交わされた金融取引に紐づいている。よって、当然のことながら、他のユーザ間で取り交わされた金融取引に紐づく共有取引情報領域は関連情報ＤＢ内において別途用意されることになる。すなわち、共有取引情報領域は、紐づいている金融取引に関連するユーザの組み合わせ毎に生成される。
【００３８】
図８は、ユーザＢへ送金した入学祝いに付随するお祝いメッセージをユーザＡが登録する場合に実現される情報処理を示した図の一例である。例えば、ユーザＡがユーザ端末３を操作し、関連情報の一種であるお祝いメッセージを上記入学祝いの送金に紐付けて登録する要求（Ｓ５０１）を行うと、情報処理システムＳＹＳでは、お祝いメッセージの登録に係る処理が実行される。すなわち、お祝いメッセージの登録要求に係る操作がユーザ端末３で行われると、ユーザ端末３の関連情報登録処理部３Ａが勘定系システム２に入学祝いの送金に係る取引情報キーの通知を要求する。取引情報キーの通知を要求された勘定系
システム２では情報通知処理部２Ｂが、適当なユーザ認証処理を経た後、ユーザＡの取引明細にアクセスして得た取引情報キーをユーザ端末３へ通知する（Ｓ５０２）。ユーザ端末３が勘定系システム２から取引情報キーの通知を受けると、ユーザ端末３の関連情報登録処理部３Ａは、通知された取引情報キーと共にお祝いメッセージを関連情報システム１へ送信する（Ｓ５０３）。関連情報システム１が取引情報キーとお祝いメッセージを受信すると、関連情報システム１の取引情報登録処理部１Ｂは、登録の日時や取引情報キーと紐付けてお祝いメッセージを関連情報ＤＢ内に付加する（Ｓ５０４）。これにより、関連情報ＤＢ内には、図８に示されるように、登録の日時や取引情報キーと紐づいたお祝いメッセージのデータ５Ｍが、入学祝いの送金に係る出金取引に対応して確保される固有取引情報領域内に付加される。また、入学祝いの送金に係る出金取引を識別する取引情報キーと紐づいて確保されている共有取引情報領域に、当該出金取引を識別する取引情報キーが登録の日時と共に付加される。
【００３９】
図９は、ユーザＡが送ったお祝いメッセージをユーザＢが閲覧する場合に実現される情報処理を示した図の一例である。例えば、ユーザＢがユーザ端末３を操作し、お祝いメッセージを閲覧する要求（Ｓ６０１）を行うと、情報処理システムＳＹＳでは、お祝いメッセージの閲覧に係る処理が実行される。すなわち、お祝いメッセージの閲覧要求に係る操作がユーザ端末３で行われると、ユーザ端末３の関連情報閲覧処理部３Ｂが勘定系システム２に入学祝いの入金に係る取引情報キーの通知を要求する。取引情報キーの通知を要求された勘定系システム２では情報通知処理部２Ｂが、適当なユーザ認証処理を経た後、ユーザＢの取引明細にアクセスして得た取引情報キーをユーザ端末３へ通知する（Ｓ６０２）。ユーザ端末３が勘定系システム２から取引情報キーの通知を受けると、ユーザ端末３の関連情報閲覧処理部３Ｂは、通知された取引情報キーを関連情報システム１へ送信する（Ｓ６０３）。関連情報システム１が取引情報キーを受信すると、関連情報システム１の関連情報提供処理部１Ｃは、入学祝の入金に係る取引情報キーと紐づいている共有取引情報領域にアクセスし、当該共有取引情報領域に格納されている全ての取引情報キーを参照する。そして、関連情報提供処理部１Ｃは、当該共有取引情報領域に格納されている取引情報キーに紐づいている関連情報であるお祝いメッセージのデータ５Ｍをユーザ端末３へ送信する（Ｓ６０４）。関連情報システム１からお祝いメッセージのデータ５Ｍを受信したユーザ端末３では、関連情報閲覧処理部３Ｂが、受信したお祝いメッセージを表示装置３４に表示する（Ｓ６０５）。よって、ユーザＢは、入学祝いの入金に係る入金取引に纏わるお祝いメッセージのデータ５Ｍを他の情報（例えば、データ５Ｃの写真）と区別して閲覧可能である。
【００４０】
図１０は、ユーザＡから送金された入学祝いに付随する入学式の写真をユーザＢが登録する場合に実現される情報処理を示した図の一例である。例えば、ユーザＢがユーザ端末３を操作し、関連情報の一種である入学式の写真を上記入学祝いの入金に紐付けて登録する要求（Ｓ７０１）を行うと、情報処理システムＳＹＳでは、写真の登録に係る処理が実行される。すなわち、写真の登録要求に係る操作がユーザ端末３で行われると、ユーザ端末３の関連情報登録処理部３Ａが勘定系システム２に入学祝いの入金に係る取引情報キーの通知を要求する。取引情報キーの通知を要求された勘定系システム２では情報通知処理部２Ｂが、適当なユーザ認証処理を経た後、ユーザＢの取引明細にアクセスして得た取引情報キーをユーザ端末３へ通知する（Ｓ７０２）。ユーザ端末３が勘定系システム２から取引情報キーの通知を受けると、ユーザ端末３の関連情報登録処理部３Ａは、通知された取引情報キーと共に写真データを関連情報システム１へ送信する（Ｓ７０３）。関連情報システム１が取引情報キーと写真データを受信すると、関連情報システム１の取引情報登録処理部１Ｂは、登録の日時や取引情報キーと紐付けて写真データを関連情報ＤＢ内に付加する（Ｓ７０４）。これにより、関連情報ＤＢ内には、図１０に示されるように、登録の日時や取引情報キーと紐づいた入学式の写真のデータ５Ｎが、入学祝いの入金に係る入金取引に対応して確保される固有取引情報領域内に付加される。また、入学祝いの入金に
係る入金取引を識別する取引情報キーと紐づいて確保されている共有取引情報領域に、当該出金取引を識別する取引情報キーが登録の日時と共に付加される。
【００４１】
図１１は、ユーザＡに関係する全ての関連情報をユーザＡが閲覧する場合に実現される情報処理を示した図の一例である。例えば、ユーザＡがユーザ端末３を操作し、ユーザＡに関係する全ての関連情報を閲覧する要求（Ｓ８０１）を行うと、情報処理システムＳＹＳでは、関連情報の閲覧に係る処理が実行される。すなわち、ユーザＡに関係する全ての関連情報を閲覧する要求に係る操作がユーザ端末３で行われると、ユーザ端末３の関連情報閲覧処理部３Ｂが勘定系システム２にユーザＡの顧客情報キーの通知を要求する。顧客情報キーの通知を要求された勘定系システム２では情報通知処理部２Ｂが、適当なユーザ認証処理を経た後、ユーザＡの顧客情報マスタにアクセスして得た顧客情報キーをユーザ端末３へ通知する（Ｓ８０２）。ユーザ端末３が勘定系システム２から取引情報キーの通知を受けると、ユーザ端末３の関連情報閲覧処理部３Ｂは、通知された顧客情報キーを関連情報システム１へ送信する（Ｓ８０３）。関連情報システム１が顧客情報キーを受信すると、関連情報システム１の関連情報提供処理部１Ｃは、ユーザＡの顧客情報キーと紐づいている全ての固有取引情報領域や共有取引情報領域にアクセスし、アクセスした固有取引情報領域や共有取引情報領域に格納されている全ての関連情報のデータ５Ｍ，５Ｎをユーザ端末３へ送信する（Ｓ８０４）。関連情報システム１からデータ５Ｍ，５Ｎを受信したユーザ端末３では、関連情報閲覧処理部３Ｂが、受信したお祝いメッセージや入学式の写真を表示装置３４に表示する（Ｓ８０５）。よって、ユーザＡは、ユーザＢとの間の金融取引に纏わる関連情報を余すことなく閲覧可能である。
【００４２】
図１２は、ユーザＢに関係する全ての関連情報をユーザＢが閲覧する場合に実現される情報処理を示した図の一例である。ユーザＢに関係する全ての関連情報をユーザＢが閲覧する場合に実現される情報処理もユーザＡの場合と同様であり、上述したステップＳ８０１からステップＳ８０５までの一連の処理が実行されることにより、図１２に示されるように、ユーザＢの顧客情報キーと紐づいている全ての固有取引情報領域や共有取引情報領域に格納されている全ての関連情報のデータ５Ｃ，５Ｋ，５Ｍ，５Ｎがユーザ端末３へ送信され、子供の写真や鯉のぼりの写真、お祝いメッセージ、入学式の写真が表示装置３４に表示される。よって、ユーザＢは、ユーザＡとの間の金融取引に纏わる関連情報を余すことなく閲覧可能である。
【００４３】
なお、関連情報システム１から関連情報のデータが送られたユーザ端末３では、例えば、関連情報が登録日時に従って順に表示されてもよいし、関連情報がユーザＡによるものか或いはユーザＢによるものかが視覚的に判るように２列に分けてタイムラインで表示してもよい。
【符号の説明】
【００４４】
ＳＹＳ・・情報処理システム；１・・関連情報システム；２・・勘定系システム；３・・ユーザ端末；４・・ネットワーク；１１，２１，３１・・制御部；１２，２２，３２・・記憶装置；１３，２３，３３・・通信Ｉ／Ｆ；３４・・表示装置；３５・・入力装置；１Ａ・・キー情報付加処理部；１Ｂ・・取引情報登録処理部；１Ｃ・・関連情報提供処理部；２Ａ・・勘定処理部２Ａ；２Ｂ・・情報通知処理部；２Ｃ・・登録開設処理部；３Ａ・・関連情報登録処理部；３Ｂ・・関連情報閲覧処理部；５Ｃ，５Ｋ，５Ｍ，５Ｎ・・データ
【図１】
2015225435.tif 000003
【図２】
2015225435.tif 000004
【図３】
2015225435.tif 000005
【図４Ａ】
2015225435.tif 000006
【図４Ｂ】
2015225435.tif 000007
【図５】
2015225435.tif 000008
【図６】
2015225435.tif 000009
【図７】
2015225435.tif 000010
【図８】
2015225435.tif 000011
【図９】
2015225435.tif 000012
【図１０】
2015225435.tif 000013
【図１１】
2015225435.tif 000014
【図１２】
2015225435.tif 000015